(57)【要約】【課題】洗面台２を使用しないときに洗面台２より上方の洗面空間Ｓを覆い隠すことができるようにする。【解決手段】洗面台２と、洗面台２より上方の洗面空間Ｓの奥側に配置した鏡５と、洗面空間Ｓの外側に配置されて手前へ突出する突出体である収納庫６，７とを備え、収納庫６，７の外側面に近接した後退位置Ｇ，Ｇから洗面空間Ｓの手前側を覆う前進位置Ｆ，Ｆまで進退自在な覆い体８，９を設け、洗面空間Ｓの手前側の全体を、前進位置Ｆ，Ｆに位置する覆い体８，９で覆うようにしたこと。【効果】洗面台２を使用しないときに洗面空間Ｓを覆い隠して洗面ボール２２や水栓２３等が見えないようにしたい要請に応えることができる。【選択図】図１
2005211396.tif 000002
【特許請求の範囲】
【請求項１】
洗面台と、洗面台より上方の洗面空間の奥側に配置した鏡とを備え、洗面空間の外側に手前へ突出する突出体が位置している洗面装置において、前記突出体の外側面に近接した後退位置から前記洗面空間の手前側を覆う前進位置まで進退自在な覆い体を設け、前記洗面空間の手前側の全体を、前進位置に位置する覆い体で覆うようにしたことを特徴とする洗面装置。
【請求項２】
前記突出体は手前に出し入れ口が設けられ、前記後退位置が、前記突出体の前記洗面空間に対面する側壁面に近接している請求項１記載の洗面装置。
【請求項３】
前記後退位置が、前記突出体の前記洗面空間に対面する側部出し入れ口に近接している請求項１記載の洗面装置。
【請求項４】
前記覆い体は、奥側に揺動中心が位置して手前側を円弧移動させる態様と、手前側に揺動中心が位置して奥側を円弧移動させる態様とを選択できる請求項３記載の洗面装置。
【請求項５】
前記覆い体は、複数枚の分割片を揺動自在に連結したものからなり、前記後退位置で分割片どうしが重なり合い、前記前進位置で分割片が面状に展開する請求項２又は３記載の洗面装置。
【請求項６】
前記後退位置が、前記突出体の手前の側壁面に近接している請求項１記載の洗面装置。
【請求項７】
前記覆い体は、前記鏡と平行に移動する請求項６記載の洗面装置。
【請求項８】
前記突出体が、前記洗面空間の左右両外側の各々に配置され、前記覆い体が、左右に各々設けられた請求項１乃至７のいずれか１項に記載の洗面装置。
【請求項９】
前記覆い体は、前記前進位置において手前となる面を鏡面とした請求項１乃至８のいずれか１項に記載の洗面装置。
【請求項１０】
前記前進位置の覆い体の手前面、前記突出体の手前面及び前記洗面台の手前面が面一となるようにした請求項１乃至９のいずれか１項に記載の洗面装置。
【請求項１１】
前記突出体が収納庫からなる請求項１乃至１０のいずれか１項に記載の洗面装置。
【発明の詳細な説明】
【技術分野】
【０００１】
本発明は、洗面台と、洗面台より上方の洗面空間の奥側に配置した鏡とを備え、洗面空間の外側に手前へ突出する突出体（例えば、収納庫、建物の一部等）が位置している洗面装置に関するものである。
【背景技術】
【０００２】
この種の洗面装置としては、特許文献１の図６及び図７に示すものがあり、収納庫の手前出し入れ口を扉で開閉自在に覆い、扉の前面を鏡面としてある。
【特許文献１】実用新案登録第３００７５９３号公報
【発明の開示】
【発明が解決しようとする課題】
【０００３】
洗面装置については、使用者の生活スタイルに合わせるために、洗面台を使用しないときには、洗面台より上方の洗面空間を覆い隠して洗面ボールや水栓等が見えないようにしたい要請がある。更に、洗面台を使用しないときには、洗面台より上方の洗面空間の手前側に鏡を位置させて、姿見等に使用したい要請もある。
【０００４】
しかし、前記特許文献１に記載されている洗面装置は、洗面台より上方の洗面空間を覆い隠す構造となっていないため、上記要請に応えることができなかった。そこで、本発明は、上記要請に応えることができる洗面装置の提供することを目的とする。
【課題を解決するための手段】
【０００５】
洗面台を使用しないときに洗面台より上方の洗面空間を覆い隠すことができるようにするために請求項１記載の本発明が採用した手段は、洗面台と、洗面台より上方の洗面空間の奥側に配置した鏡とを備え、洗面空間の外側に手前へ突出する突出体が位置している洗面装置において、前記突出体の外側面に近接した後退位置から前記洗面空間の手前側を覆う前進位置まで進退自在な覆い体を設け、前記洗面空間の手前側の全体を、前進位置に位置する覆い体で覆うようにしたことを特徴とする洗面装置である。洗面台は、その上面側に、洗面ボール及び水栓を備えている。
本発明にあっては、洗面台を使用するきには、突出体の外側面に近接した後退位置に覆い体を後退させて洗面空間の手前側を開口させることができ、また、洗面台を使用しないときには、前進位置まで前進させた覆い体で洗面空間の手前側を覆うことができる。
【０００６】
覆い体が洗面台や鏡の使用に邪魔とならないように後退できるようにするために請求項２記載の本発明が採用した手段は、前記突出体は手前に出し入れ口が設けられ、前記後退位置が、前記突出体の前記洗面空間に対面する側壁面に近接している請求項１記載の洗面装置である。
本発明にあっては、洗面台や鏡の使用に邪魔とならない、突出体の側壁面に近接する位置に覆い体を後退させることができる。
【０００７】
覆い体が洗面台や鏡の使用に邪魔とならない位置に後退でき且つ突出体の開閉扉として兼用できるようにするために請求項３記載の本発明が採用した手段は、前記後退位置が、前記突出体の前記洗面空間に対面する側部出し入れ口に近接している請求項１記載の洗面装置である。
本発明にあっては、洗面台や鏡の使用に邪魔とならない、突出体の側部出し入れ口に近接する位置に後退させることができると共に、突出体の側部出し入れ口を覆い体で開閉することができる。
【０００８】
覆い体を突出体の開閉扉として兼用させるときに、突出体からの出し入れが簡単な覆い体の移動態様と洗面空間の覆い隠しが簡単な覆い体の移動態様を選択できるようにするために請求項４記載の本発明が採用した手段は、前記覆い体は、奥側に揺動中心が位置して手前側を円弧移動させる態様と、手前側に揺動中心が位置して奥側を円弧移動させる態様とを選択できる請求項３記載の洗面装置である。
本発明にあっては、覆い体の移動態様として、突出体に対して物の出し入れを行うときには、奥側に揺動中心を位置させて手前側を円弧移動させる態様を選択して、洗面空間の手前側を覆い隠すときには、手前側に揺動中心を位置させて奥側を円弧移動させる態様を選択させることができる。
【０００９】
洗面台の広い間口に対処するために請求項５記載の本発明が採用した手段は、前記覆い体は、複数枚の分割片を揺動自在に連結したものからなり、前記後退位置で分割片どうしが重なり合い、前記前進位置で分割片が面状に展開する請求項２又は３記載の洗面装置である。
本発明にあっては、洗面台の間口寸法が突出体の側壁面の奥行き寸法より大きても、覆い体は、奥行き寸法の短い後退位置に分割片どうしが重なり合った状態で位置でき、間口寸法が広い前進位置に複数枚の分割片が面状に展開した状態で位置できる。
【００１０】
覆い体が洗面台や鏡の使用に邪魔とならない位置に後退できるようにするために請求項６記載の本発明が採用した手段は、である。
本発明にあっては、洗面台や鏡の使用に邪魔とならない、突出体の手前に覆い体を後退させることができる。
【００１１】
覆い体を簡単に移動できるようにするために請求項７記載の本発明が採用した手段は、前記覆い体は、前記鏡と平行に移動する請求項６記載の洗面装置である。
本発明にあっては、覆い体が揺動することなく鏡と平行に移動できる。
【００１２】
洗面空間の左右両外側の各々に突出体が位置する態様に対処するために請求項８記載の本発明が採用した手段は、前記突出体が、前記洗面空間の左右両外側の各々に配置され、前記覆い体が、左右に各々設けられた請求項１乃至７のいずれか１項に記載の洗面装置である。
本発明にあっては、洗面台を使用するきには、左右の各突出体の外側面に近接した後退位置に各覆い体を後退させて洗面空間の手前側を開口させることができ、また、洗面台を使用しないときには、前進位置まで前進させて洗面空間の手前側を左右の覆い体で覆うことができる。
【００１３】
洗面空間の手前側に鏡を位置させて姿見等に使用させるために請求項９記載の本発明が採用した手段は、前記覆い体は、前記前進位置において手前となる面を鏡面とした請求項１乃至８のいずれか１項に記載の洗面装置である。
本発明にあっては、上方の洗面空間の手前側を覆い体で覆ったとき、覆い体の鏡面を姿見等に利用できる。
【００１４】
洗面空間を覆ったときに手前側に凹凸感の無い広がりを得るために請求項１０記載の本発明が採用した手段は、前記前進位置の覆い体の手前面、前記突出体の手前面及び前記洗面台の手前面が面一となるようにした請求項１乃至９のいずれか１項に記載の洗面装置である。
本発明にあっては、洗面空間を覆い体で覆ったとき、覆い体の手前面、突出体の手前面及び洗面台の手前面が面一となって平面的な広がりを得ることができる。
【００１５】
請求項１乃至９のいずれか１項に記載の洗面装置において、前記突出体は、収納庫から構成されるか、又は、建物の一部から構成されることがある。この収納庫は、建物と別体で形成されて建物に取り付けられるものと、建物と一体となった造り付けのものとがある。
【発明の効果】
【００１６】
請求項１記載の本発明は、洗面台を使用しないときに洗面台より上方の洗面空間を覆い隠して洗面ボールや水栓等が見えないようにしたい要請に応えた洗面装置が得られる。
請求項２及び６記載の本発明は、覆い体が洗面台や鏡の使用に邪魔とならない位置に後退できるので、使い勝手の良い洗面装置が得られる。
【００１７】
請求項３記載の本発明は、覆い体が洗面台や鏡の使用に邪魔とならないように後退でき且つ突出体の開閉扉として兼用できるので、使い勝手の良い洗面装置が得られる。
請求項４記載の本発明は、覆い体を突出体の開閉扉として兼用させるときに、突出体の出し入れが簡単な移動態様と洗面空間の覆い隠しが簡単な移動態様を選択できる両開きであるため、使い勝手の良い洗面装置が得られる。
【００１８】
請求項５記載の本発明は、洗面台の広い間口でも、洗面台を使用しないときに洗面台より上方の洗面空間を覆い隠して洗面ボールや水栓等が見えないようにしたい要請に応えることができる。
請求項７記載の本発明は、覆い体が揺動することなく鏡と平行に進退移動するため、使い勝手の良い洗面装置が得られる。
【００１９】
請求項８記載の本発明は、洗面空間の左右両外側の各々に突出体が配置されている態様であっても、洗面台を使用しないときに洗面台より上方の洗面空間を覆い隠して洗面ボールや水栓等が見えないようにした洗面装置が得られる。
請求項９記載の本発明は、洗面空間の手前側に鏡面を位置させて姿見等に利用できる洗面装置が得られる。
【００２０】
請求項１０記載の本発明は、  洗面空間を覆ったときに、手前側に凹凸感の無い平面的な広がりのある洗面装置が得られる。
【発明を実施するための最良の形態】
【００２１】
本発明に係る洗面装置（以下、「本発明洗面装置」と言う。）を図面に示す実施形態に基づいて説明する。
【００２２】
（第１の実施の形態）
図１は本発明洗面装置の第１の実施の形態を示すものであり、同図（Ａ）は覆い体８，９の各々が後退位置Ｇへ後退した状態を示す平面図、同図（Ｂ）は同後退した状態を示す一部破断した正面図、同図（Ｃ）は覆い体８，９の各々が前進位置Ｆへ前進した状態を示す平面図、同図（Ｄ）は同前進した状態を示す正面図である。
【００２３】
本実施の形態に係る洗面装置１は、中央下半に配置した洗面台２と、洗面台２の左右に配置した左右下段の突出体である収納庫３，４と、洗面台２より上方の洗面空間Ｓの奥側に配置した鏡５と、洗面空間Ｓの左右外側に配置して手前へ突出する左右上段の突出体である収納庫６，７と、左右に設けた覆い体８，９を備えている。
【００２４】
前記洗面台２は、キャビネット２０と、天板２１と、洗面ボール２２と、水栓２３を備えている。キャビネット２０は、手前上方の幕板２４と、手前下方の開閉扉２５，２６ととを備えている。幕板２４及び閉じた状態の扉２５，２６は、手前側が鏡面となっている。
【００２５】
前記下段の収納庫３，４及び上段の収納庫６，７は、手前に出し入れ口１０ａ，１２ａ，１４ａ，１６ａを設けた本体１０，１２，１４，１６と、出し入れ口を開閉する揺動自在な扉１１，１３，１５，１７とを備えている。扉１１，１３，１５，１７は、手前側が鏡面となっている。これら収納庫３，４，６，７は、洗面装置１を備える建物と別体で形成されて建物に据え置かれるもの又は建物壁に取り付けられるもの（所謂キャビネット構造）や、建物と一体となった造り付けのもの等がある。
【００２６】
前記覆い体８，９の各々は、対応する上方の収納庫６（７）の外側面６ａ（７ａ）に近接した後退位置Ｇから洗面空間Ｓの手前側を覆う前進位置Ｆまで進退自在に設けられ、前進位置Ｆに位置するときに、洗面空間Ｓの手前側の左右半分づつを覆うようになっている。覆い体８，９の各々は、手前側を中心として揺動するように、ヒンジ（図示略）を介して収納庫６，７に連結してある。覆い体８，９の各々は、各後退位置Ｇに位置するときには（図（Ａ），（Ｂ）参照）、収納庫６（７）の側壁面６ａ（７ａ）と洗面空間Ｓの側面との間に位置するため、洗面台２や主鏡５の使用に邪魔とならない状態となる。また、覆い体８及び９は、各後退位置Ｇに位置するときには（図（Ｃ），（Ｄ）参照）、洗面空間Ｓの手前側の全体を覆い、手前に立つ者から洗面ボール２２，水栓２３及び主鏡５を見えないようにする。
【００２７】
前記覆い体８，９の各々は、前進位置Ｆにおいて手前となる面が鏡面となっており、この鏡面を姿見等に利用できるようにしてある。そして、洗面装置１は、前進位置Ｆの覆い体８，９の各手前面、収納庫３，４，６，７の各手前面、並びに洗面台２の幕板２４及び開閉扉２５，２６の各手前面が面一となるようにしてあり、これら手前面によって凹凸感の無い平面的な広がりを得ることができる。そして、洗面装置１は、これら手前面が鏡面となっているため、全体の姿見等に利用でき、使用者にとって非常に便利である。
【００２８】
（第２の実施の形態）
図２は本発明洗面装置の第２の実施の形態を示すものであり、同図（Ａ）は覆い体３８，３８の各々が後退位置Ｇへ後退した状態を示す平面図、同図（Ｂ）は覆い体３８，３８の各々が前進位置Ｇへ前進した状態を示す平面図、同図（Ｃ）は同前進した状態を示す一部破断した正面図である。
【００２９】
本実施の形態に係る洗面装置３１が前記第１の実施の形態に係る洗面装置１と大きく相違する点は、洗面台２の広い間口Ｅに対処するために、左右の覆い体３８，３９の各々を折り畳み式としたことである。この相違点以外の構成は、前記第１の実施の形態に係る洗面装置１と実質的に同一であり、図中において第１の実施の形態と同一の符号は同一の構成部材等を示す。
【００３０】
前記覆い体３８の後退位置Ｇを形成することができる最大の奥行きＤの寸法の二倍よりも洗面空間Ｓの間口Ｅの寸法の方が大きいときには、覆い体を第１の実施の形態の如く一枚の板状で形成したとき、前進位置Ｆに位置する左右二枚の覆い体で洗面空間Ｓの間口Ｅを覆い隠すことができない。そこで、本実施の形態の覆い体３８，３９の各々は、複数枚（図示の場合は二枚）の分割片３８ａ，３８ａ（３９ａ，３９ａ）を揺動自在に連結したものから構成し、後退位置Ｇで分割片どうし３８ａ，３８ａ（３９ａ，３９ａ）が重なり合い、前進位置Ｆで分割片３８ａ，３８ａ（３９ａ，３９ａ）が平面状に展開するようにしてある。左右の覆い体３８，３９は、各前進位置Ｆで各分割片３８ａ，３８ａ（３９ａ，３９ａ）を平面状に展開して、両者の対向する縁部どうしを当接等させることで、洗面空間Ｓの間口Ｅの左右幅域の全体を覆い隠すようになっている。
【００３１】
前記覆い体３８，３９の分割片３８ａ，３８ａ（３９ａ，３９ａ）の各々は、前記第１の実施の形態と同様に、前進位置Ｆにおいて手前となる面が鏡面となっており、この鏡面を姿見等に利用できるようにしてある。
【００３２】
（第３の実施の形態）
図３は本発明洗面装置の第３の実施の形態を示すものであり、同図（Ａ）は覆い体４８が後退位置Ｇへ後退した状態を示す平面図、同図（Ｂ）は同後退した状態を示す一部破断した正面図、同図（Ｃ）は覆い体４８が前進位置Ｆへ前進した状態を示す平面図、同図（Ｄ）は同前進した状態を示す正面図である。
【００３３】
本実施の形態に係る洗面装置４１が前記第１の実施の形態に係る洗面装置１と大きく相違する点は、一方（図示の場合は左側）の収納庫３，６のみとすると共に、間口の狭い洗面台２より上方に形成された間口の狭い洗面空間Ｓを揺動自在な一枚の覆い体４８で覆い隠すことができるようにしたことである。この相違点以外の構成は、前記第１の実施の形態に係る洗面装置１と実質的に同一であり、図中において第１の実施の形態と同一の符号は同一の構成部材等を示す。
【００３４】
前記覆い体４８は、前進位置Ｆにおいて手前となる面が鏡面となっており、この鏡面を姿見等に利用できるようにしてある。そして、洗面装置４１は、前進位置Ｆの覆い体４８の手前面、収納庫３，６の各手前面、並びに洗面台２の幕板２４及び開閉扉２５の各手前面が面一となるようにしてあり、これら手前面によって凹凸感の無い平面的な広がりを得ることができる。そして、洗面装置４１は、これら手前面が鏡面となっているため、全体の姿見等に利用でき、使用者にとって非常に便利である。
【００３５】
前記洗面装置４１は、部屋の内隅部に配置され、洗面台２の一方（図示の場合は左側）の外側に収納庫３，６を配置し、他方の外側を部屋の壁面Ｗで形成してある。なお、本実施の形態に係る洗面装置４１は、図示は省略したが、図３のものと左右対称になるように構成することも可能である。
【００３６】
（第４の実施の形態）
図４は本発明洗面装置の第４の実施の形態を示すものであり、同図（Ａ）は覆い体５８が後退位置Ｇへ後退した状態を示す平面図、同図（Ｂ）は同後退した状態を示す一部破断した正面図、同図（Ｃ）は覆い体５８が前進位置Ｆへ前進した状態を示す平面図、同図（Ｄ）は同前進した状態を示す正面図である。
【００３７】
本実施の形態に係る洗面装置５１が前記第１の実施の形態に係る洗面装置１と大きく相違する点は、一方（図示の場合は左側）の収納庫３，６のみとすると共に、覆い体５８を折り畳み式としたことである。この相違点以外の構成は、前記第１の実施の形態に係る洗面装置１と実質的に同一であり、図中において第１の実施の形態と同一の符号は同一の構成部材等を示す。
【００３８】
洗面装置５１は、部屋の内隅部に配置され、洗面台２の一方（図示の場合は左側）の外側に収納庫３，６を配置し、他方の外側を部屋の壁面で形成してある。覆い体５８は、複数枚（図示の場合は二枚）の分割片５８ａ，５８ａを揺動自在に連結したものから構成し、後退位置Ｇで分割片どうし５８ａ，５８ａが重なり合い、前進位置Ｆで分割片５８ａ，５８ａが平面状に展開して、洗面台２より上方に形成された洗面空間Ｓの間口Ｅの左右幅域の全体を覆い隠すようにしてある。なお、本実施の形態に係る洗面装置４１は、図示は省略したが、図４のものと左右対称になるように構成することも可能である。
【００３９】
（第５の実施の形態）
図５は本発明洗面装置の第５の実施の形態を示すものであり、同図（Ａ）は覆い体６８が後退位置Ｇへ後退した状態を示す平面図、同図（Ｂ）は同後退した状態を示す一部破断した正面図、同図（Ｃ）は覆い体６８が前進位置Ｆへ前進した状態を示す平面図、同図（Ｄ）は同前進した状態を示す正面図である。
【００４０】
本実施の形態に係る洗面装置６１が前記第１の実施の形態に係る洗面装置１と大きく相違する点は、一方（図示の場合は左側）の収納庫３，６のみとすると共に、間口の狭い洗面台２より上方に形成された間口の狭い洗面空間Ｓをスライド及び揺動する一枚の覆い体６８で覆い隠すことができるようにしたことである。この相違点以外の構成は、前記第１の実施の形態に係る洗面装置１と実質的に同一であり、図中において第１の実施の形態と同一の符号は同一の構成部材等を示す。
【００４１】
洗面装置６１は、部屋の内隅部に配置され、洗面台２の一方（図示の場合は左側）の外側に収納庫３，６を配置し、他方の外側を部屋の壁面Ｗで形成してある。覆い体６８は、上方の収納庫６の外側面６ａに近接した後退位置Ｇから手前の中間位置Ｈまで前後移動（矢符Ｊ）し、中間位置Ｈから洗面空間Ｓの手前側を覆う前進位置Ｆまで揺動（矢符Ｋ）するように設けられ、前進位置Ｆに位置するときに、洗面空間Ｓの手前側を覆うようになっている。覆い体６８は、収納庫６の外側面６ａに取着した案内具（図示略）に連結されている。案内具は、収納庫６の外側面６ａに固着して前後方向に延設した案内レールと、案内レールに案内されて前後方向へスイドするスライダと、スライダに設けたヒンジとを備え、該ヒンジを介してスライダに覆い体６８を揺動自在に連結してある。
【００４２】
覆い体６８は、後退位置Ｇに位置するときには（図（Ａ），（Ｂ）参照）、収納庫６の側壁面６ａと洗面空間Ｓの側面との間に位置するため、洗面台２や主鏡５の使用に邪魔とならない状態となる。また、覆い体６８は、後退位置Ｇに位置するときには（図（Ｃ），（Ｄ）参照）、洗面空間Ｓの手前側の全体を覆い、手前に立つ者から洗面ボール２２，水栓２３及び主鏡５を見えないようにする。
【００４３】
前記覆い体６８は、前進位置Ｆにおいて手前となる面が鏡面となっており、この鏡面を姿見等に利用できるようにしてある。そして、洗面装置６１は、前進位置Ｆの覆い体６８の手前面、収納庫３，６の各手前面、並びに洗面台２の幕板２４及び開閉扉２５の各手前面が面一となるようにしてあり、これら手前面によって凹凸感の無い平面的な広がりを得ることができる。そして、洗面装置６１は、これら手前面が鏡面となっているため、全体の姿見等に利用でき、使用者にとって非常に便利である。なお、本実施の形態に係る洗面装置６１は、図示は省略したが、図５のものと左右対称になるように構成することも可能である。
【００４４】
（第６の実施の形態）
図６及び図７は本発明洗面装置の第６の実施の形態を示すものである。図６は本発明洗面装置７１の全体を示すものであり、同図（Ａ）は覆い体７８，７９の各々が後退位置Ｇへ後退した状態を示す平面図、同図（Ｂ）は同後退した状態を示す一部破断した正面図、同図（Ｃ）は覆い体７８，７９の各々が前進位置Ｆへ前進した状態を示す平面図、同図（Ｄ）は同前進した状態を示す正面図である。図７は収納庫７６，両開き用支持具８２及び覆い体７８を示すものであって、同図（Ａ）は覆い体７８が後退位置Ｇへ後退した状態を示す平面図、同図（Ｂ）は同後退した状態を示す右側面図、同図（Ｃ）は覆い体７８を前進位置Ｆに位置させた状態を示す平面図、同図（Ｄ）は収納庫７６の側部出し入れ口７６ａの手前側を揺動する覆い体７８で開口した状態を示す平面図である。
【００４５】
本実施の形態に係る洗面装置７１が前記第１の実施の形態に係る洗面装置１と大きく相違する点は、突出体ある収納庫７６，７７の洗面空間Ｓと対面する側面に側部出し入れ口７６ａ，７７ａを形成し、側部出し入れ口７６ａ，７７ａを両開き可能な覆い体７８，７９で開閉できるようにしたことである。この相違点以外の構成は、前記第１の実施の形態に係る洗面装置１と実質的に同一であり、図中において第１の実施の形態と同一の符号は同一の構成部材等を示す。収納庫７６，７７は、洗面装置７１を備える建物と別体で形成されて建物に取り付けられるもの（所謂キャビネット構造）と、建物と一体となった造り付けのものとがある。
【００４６】
前記覆い体７８は、図７に示す如く、収納庫７６の右側に上下一組の両開き用支持具８２，８２を介して取着され、手前側を揺動中心として後側が円弧を描くようにして後退位置Ｇから前進位置Ｆまで揺動する後開口状態（同図（Ｃ）参照）と、後側を揺動中心として手前側が円弧を描くように揺動して収納庫７６の側部出し入れ口７６ａの手前側を開口する手前開口状態（同図（Ｄ）参照）とを選択できるようにし、収納庫７６が開閉扉を兼用するようになっている。両開き用支持具８２は、上下に一組宛設けられ、覆い体７８に取着した覆い体側取着片８４と、収納庫７６に取着した収納庫側取着片８５と、両取着具８４，８５に両端側をヒンジ８６，８７で連結した水平片８３を備え、手前側のヒンジ８７を中心として水平片８３，取着具８４，ヒンジ８６及び覆い体７８が一体となって揺動する後開口状態（同図（Ｃ）参照）と、後側のヒンジ８６を中心として取着具８４及び覆い体７８が揺動する手前開口状態（同図（Ｄ）参照）とを選択できるようにしてある。
【００４７】
前記覆い体７９は、収納庫７７の左側に両開き用支持具８２，８２（図７参照）を介して取着され、手前側を揺動中心として後側が円弧を描くようにして後退位置Ｇから前進位置Ｆまで揺動する後開口状態（同図（Ｃ）参照）と、後側を揺動中心として手前側が円弧を描くように揺動して収納庫７７の側部出し入れ口７７ａの手前側を開口する手前開口状態（同図（Ａ）中の二点鎖線に示す状態）とを選択できるようにしてある。
【００４８】
なお、前記覆い体７７，７８は、両開き用支持具８２，８２を用いる以外に、図示は省略したが、特開２００２−１４７１０５公報に掲載されている左右選択用蝶番を介して収納庫７６の右側又は収納庫７７の左側に取着して、後開口状態及び手前開口状態を選択できようにすることも可能である。
【００４９】
前記覆い体７７，７８は、前進位置Ｆにおいて手前となる面が鏡面となっており、この鏡面を姿見等に利用できるようにしてある。そして、洗面装置７１は、前進位置Ｆの覆い体７７，７８の手前面、収納庫７６，７７及び収納庫３，６の各手前面、並びに洗面台２の幕板２４及び開閉扉２５，２６の各手前面が面一となるようにしてあり、これら手前面によって凹凸感の無い平面的な広がりを得ることができる。そして、洗面装置７１は、これら手前面が鏡面となっているため、全体の姿見等に利用でき、使用者にとって非常に便利である。
【００５０】
使用者は、収納庫７６，７７に対して収納物の出し入れを行うときには、手前開口状態（同図（Ｄ）参照）を選択することで出し入れ操作が簡単にでき、また、洗面空間Ｓの手前側を覆い隠すときには、後開口状態（同図（Ｃ）参照）を選択するとよい。
【００５１】
（第７の実施の形態）
図８は本発明洗面装置の第７の実施の形態を示すものであり、同図（Ａ）は覆い体８８が後退位置Ｇへ後退した状態を示す平面図、同図（Ｂ）は同後退した状態を示す一部破断した正面図、同図（Ｃ）は覆い体８８が前進位置Ｆへ前進した状態を示す平面図、同図（Ｄ）は同前進した状態を示す正面図である。
【００５２】
本実施の形態に係る洗面装置８１が前記第１の実施の形態に係る洗面装置１と大きく相違する点は、一方（図示の場合は左側）の収納庫３，７６のみとすると共に、収納庫７６の洗面空間Ｓと対面する側面に側部出し入れ口７６ａを形成し、側部出し入れ口７６ａを両開き可能な覆い体８８で開閉できるようにし、間口の狭い洗面台２より上方に形成された間口の狭い洗面空間Ｓを一枚の覆い体８８で覆い隠すことができるようにしたことである。この相違点以外の構成は、前記第１の実施の形態に係る洗面装置１と実質的に同一であり、図中において第１の実施の形態と同一の符号は同一の構成部材等を示す。
【００５３】
前記覆い体８８は、収納庫７６の右側に、前記第６の実施の形態で用いた両開き用支持具８２，８２（図７参照）を介して取着され、手前側を揺動中心として後側が円弧を描くようにして後退位置Ｇから前進位置Ｆまで揺動する後開口状態（図８（Ｃ）参照）と、後側を揺動中心として手前側が円弧を描くように揺動して収納庫７６の側部出し入れ口７６ａの手前側を開口する手前開口状態（同図（Ａ）中に二点鎖線で示す状態）とを選択できるようにし、収納庫７６の開閉扉を兼用するようになっている。
【００５４】
前記覆い体８８は、前進位置Ｆにおいて手前となる面が鏡面となっており、この鏡面を姿見等に利用できるようにしてある。そして、洗面装置８１は、前進位置Ｆの覆い体８８の手前面、収納庫３，７６の各手前面、並びに洗面台２の幕板２４及び開閉扉２５の各手前面が面一となるようにしてあり、これら手前面によって凹凸感の無い平面的な広がりを得ることができる。そして、洗面装置８１は、これら手前面が鏡面となっているため、全体の姿見等に利用でき、使用者にとって非常に便利である。
【００５５】
前記洗面装置８１は、部屋の内隅部に配置され、洗面台２の一方（図示の場合は左側）の外側に収納庫３，７６を配置し、他方の外側を部屋の壁面Ｗで形成してある。なお、本実施の形態に係る洗面装置８１は、図示は省略したが、図８のものと左右対称になるように構成することも可能である。
【００５６】
（第８の実施の形態）
図９は本発明洗面装置の第８の実施の形態を示すものであり、同図（Ａ）は覆い体９８，９９の各々が後退位置Ｇへ後退した状態を示す平面図、同図（Ｂ）は覆い体９８，９９の各々が前進位置Ｆへ前進した状態を示す平面図、同図（Ｃ）は同前進した状態を示す一部破断した正面図である。
【００５７】
本実施の形態に係る洗面装置９１が前記第１の実施の形態に係る洗面装置１と大きく相違する点は、収納庫７６（７７）の洗面空間Ｓと対面する側面に側部出し入れ口７６ａ（７７ａ）を形成し、覆い体９８（９９）を収納庫７６（７７）の手前外側に近接した後退位置Ｇから洗面空間Ｓの手前側を覆う前進位置Ｆまで揺動自在に進退自在に設けたことである。この相違点以外の構成は、前記第１の実施の形態に係る洗面装置１と実質的に同一であり、図中において第１の実施の形態と同一の符号は同一の構成部材等を示す。
【００５８】
前記覆い体９８（９９）は、ヒンジ（図示略）を介して収納庫７６（７７）に取着される。覆い体９８，９９は、前進位置Ｆにおいて手前となる面が鏡面となっており、この鏡面を姿見等に利用できるようにしてある。そして、洗面装置９１は、前進位置Ｆの覆い体９８，９９の手前面、収納庫３，４，７６，７７の各手前面、並びに洗面台２の幕板２４及び開閉扉２５，２６の各手前面が面一となるようにしてあり、これら手前面によって凹凸感の無い平面的な広がりを得ることができる。そして、洗面装置９１は、これら手前面が鏡面となっているため、全体の姿見等に利用でき、使用者にとって非常に便利である。
【００５９】
（第９の実施の形態）
図１０は本発明洗面装置の第９の実施の形態を示すものであり、同図（Ａ）は覆い体１０８，１０９の各々が後退位置Ｇへ後退した状態を示す平面図、同図（Ｂ）は同後退した状態を示す一部破断した正面図、同図（Ｃ）は覆い体１０８，１０９の各々が前進位置Ｆへ前進した状態を示す平面図、同図（Ｄ）は同前進した状態を示す正面図である。
【００６０】
本実施の形態に係る洗面装置１０１が前記第１の実施の形態に係る洗面装置１と大きく相違する点は、収納庫７６（７７）の洗面空間Ｓと対面する側面に側部出し入れ口７６ａ（７７ａ）を形成し、覆い体１０８（１０９）を収納庫７６（７７）の手前外側に近接した後退位置Ｇから洗面空間Ｓの手前側を覆う前進位置Ｆまで、主鏡５と平行な左右方向へ移動自在に設けたことである。この相違点以外の構成は、前記第１の実施の形態に係る洗面装置１と実質的に同一であり、図中において第１の実施の形態と同一の符号は同一の構成部材等を示す。
【００６１】
前記覆い体１０８（１０９）は、上下一組のスライド案内具１０２，１０２を介して収納庫７６（７７）に取着される。覆い体１０８（１０９）は、手前面が鏡面となっており、この鏡面を姿見等に利用できるようにしてある。そして、洗面装置１０１は、前進位置Ｆの覆い体１０８，１０９の手前面、収納庫３，４，７６，７７の各手前面、並びに洗面台２の幕板２４及び開閉扉２５の各手前面が面一となるようにしてあり、これら手前面によって凹凸感の無い平面的な広がりを得ることができる。そして、洗面装置１０１は、これら手前面が鏡面となっているため、全体の姿見等に利用でき、使用者にとって非常に便利である。
【００６２】
（第１０の実施の形態）
図１１は本発明洗面装置の第１０の実施の形態を示すものであり、同図（Ａ）は覆い体１１８，１１９の各々が後退位置Ｇへ後退した状態を示す一部破断した平面図、同図（Ｂ）は同後退した状態を示す一部破断した正面図、同図（Ｃ）は覆い体１１８，１１９の各々が前進位置Ｆへ前進した状態を示す一部破断した平面図、同図（Ｄ）は同前進した状態を示す正面図である。
【００６３】
本実施の形態に係る洗面装置１１１が前記第１の実施の形態に係る洗面装置１と大きく相違する点は、収納庫７６，７７の洗面空間Ｓと対面する側面に側部出し入れ口７６ａ，７７ａを形成し、覆い体１１８（１１９）を収納庫７６（７７）の手前外側に近接した各後退位置Ｇから洗面空間Ｓの手前側を覆う各前進位置Ｆまで移動自在に設けると共に、覆い体１１８，１１９の各々を主鏡５と平行な左右方向へ移動できる複数枚の分割片１１８ａ，１１８ａ（１１９ａ，１１９ａ）（本実施の形態では各２枚）から形成したことである。この相違点以外の構成は、前記第１の実施の形態に係る洗面装置１と実質的に同一であり、図中において第１の実施の形態と同一の符号は同一の構成部材等を示す。
【００６４】
覆い体１１８（１１９）は、後退位置Ｇでは各分割片１１８ａ，１１８ａ（１１９ａ，１１９ａ）が重なり合い、前進位置Ｆでは各分割片１１８ａ，１１８ａ（１１９ａ，１１９ａ）が重なり合う縁部を残して離れて展開するようになっている。覆い体１１８（１１９）は、収納庫７６（７７）の上方に跨ぐように配置した支持部材１１２に取着したスライド案内具（図示略）に案内されて、後退位置Ｇから前進位置Ｆまで左右方向へ移動するようになっている。本実施の形態にあっては、覆い体１１８，１１９の各々は、スライド案内具（図示略）に、自由端である下端が前後方向へ移動しないように吊り下げられている。左右の覆い体１１８（１１９）は、各前進位置Ｆで各分割片１１８ａ，１１８ａ（１１９ａ，１１９ａ）を展開して、両者の対向する縁部どうしを当接等させることで、洗面空間Ｓの間口の左右幅域の全体を覆い隠すようにしてある。
【００６５】
覆い体１１８（１１９）は、各分割片１１８ａ，１１８ａ（１１９ａ，１１９ａ）の手前面が鏡面となっており、この鏡面を姿見等に利用できるようにしてある。そして、洗面装置１１１は、前進位置Ｆの覆い体１１８，１１９の手前面、収納庫３，４，７６，７７の各手前面、並びに洗面台２の幕板２４及び開閉扉２５，２６の各手前面が面一となるようにしてあり、これら手前面によって凹凸感の無い平面的な広がりを得ることができる。そして、洗面装置１１１は、これら手前面が鏡面となっているため、全体の姿見等に利用でき、使用者にとって非常に便利である。
【００６６】
（第１１の実施の形態）
図１２は本発明洗面装置の第１１の実施の形態を示すものであり、同図（Ａ）は覆い体８，９の各々が後退位置Ｇへ後退した状態を示す平面図、同図（Ｂ）は同後退した状態を示す一部破断した正面図、同図（Ｃ）は覆い体８，９の各々が前進位置Ｆへ前進した状態を示す平面図、同図（Ｄ）は同前進した状態を示す正面図である。
【００６７】
本実施の形態に係る洗面装置１２１が前記第１の実施の形態に係る洗面装置１と大きく相違する点は、洗面台２より上方に形成された洗面空間Ｓの左右両外側を、手前へ突出する建物の一部からなる突出体１２２で構成したことである。この相違点以外の構成は、前記第１の実施の形態に係る洗面装置１と実質的に同一であり、図中において第１の実施の形態と同一の符号は同一の構成部材等を示す。
【００６８】
前記覆い体８，９の各々は、突出体１２２の洗面空間Ｓに面する外側面１２２ａに近接した後退位置Ｇから洗面空間Ｓの手前側を覆う前進位置Ｆまで進退自在に設けられ、前進位置Ｆに位置するときに、洗面空間Ｓの手前側の左右半分づつを覆うようになっている。      
【００６９】
（その他の実施の形態）
本発明洗面装置は、図１２に示す第１１の実施の形態における覆い体８，９を、図２に示す折り畳み式の覆い体３８，３９に置換したり、図４に示す折り畳み式の覆い体５８に置換したり、図９に示す覆い体９８，９９に置換したり、図１０に示すスライド式の覆い体１０８，１０９に置換したり、又は図１１に示す複数枚片からなるスライド式の覆い体１０８，１０９に置換することもある。
【図面の簡単な説明】
【００７０】
【図１】本発明洗面装置の第１の実施の形態を示すものであり、同図（Ａ）は覆い体の各々が後退位置へ後退した状態を示す平面図、同図（Ｂ）は同後退した状態を示す一部破断した正面図、同図（Ｃ）は覆い体の各々が前進位置へ前進した状態を示す平面図、同図（Ｄ）は同前進した状態を示す正面図である。
【図２】本発明洗面装置の第２の実施の形態を示すものであり、同図（Ａ）は覆い体の各々が後退位置Ｇへ後退した状態を示す平面図、同図（Ｂ）は覆い体の各々が前進位置へ前進した状態を示す平面図、同図（Ｃ）は同前進した状態を示す一部破断した正面図である。
【図３】本発明洗面装置の第３の実施の形態を示すものであり、同図（Ａ）は覆い体が後退位置へ後退した状態を示す平面図、同図（Ｂ）は同後退した状態を示す一部破断した正面図、同図（Ｃ）は覆い体が前進位置へ前進した状態を示す平面図、同図（Ｄ）は同前進した状態を示す正面図である。
【図４】本発明洗面装置の第４の実施の形態を示すものであり、同図（Ａ）は覆い体が後退位置へ後退した状態を示す平面図、同図（Ｂ）は同後退した状態を示す一部破断した正面図、同図（Ｃ）は覆い体が前進位置へ前進した状態を示す平面図、同図（Ｄ）は同前進した状態を示す正面図である。
【図５】本発明洗面装置の第５の実施の形態を示すものであり、同図（Ａ）は覆い体が後退位置へ後退した状態を示す平面図、同図（Ｂ）は同後退した状態を示す一部破断した正面図、同図（Ｃ）は覆い体が前進位置へ前進した状態を示す平面図、同図（Ｄ）は同前進した状態を示す正面図である。
【図６】本発明洗面装置の第６の実施の形態を示すものであり、同図（Ａ）は覆い体の各々が後退位置へ後退した状態を示す平面図、同図（Ｂ）は同後退した状態を示す一部破断した正面図、同図（Ｃ）は覆い体の各々が前進位置へ前進した状態を示す平面図、同図（Ｄ）は同前進した状態を示す正面図である。
【図７】第６の実施の形態における収納庫，両開き用支持具及び覆い体を示すものであって、同図（Ａ）は覆い体が後退位置へ後退した状態を示す平面図、同図（Ｂ）は同後退した状態を示す右側面図、同図（Ｃ）は覆い体を前進位置に位置させた状態を示す平面図、同図（Ｄ）は収納庫の側部出し入れ口の手前側を揺動する覆い体で開口した状態を示す平面図である。
【図８】本発明洗面装置の第７の実施の形態を示すものであり、同図（Ａ）は覆い体が後退位置へ後退した状態を示す平面図、同図（Ｂ）は同後退した状態を示す一部破断した正面図、同図（Ｃ）は覆い体が前進位置へ前進した状態を示す平面図、同図（Ｄ）は同前進した状態を示す正面図である。
【図９】本発明洗面装置の第８の実施の形態を示すものであり、同図（Ａ）は覆い体の各々が後退位置へ後退した状態を示す平面図、同図（Ｂ）は覆い体の各々が前進位置へ前進した状態を示す平面図、同図（Ｃ）は同前進した状態を示す一部破断した正面図である。
【図１０】本発明洗面装置の第９の実施の形態を示すものであり、同図（Ａ）は覆い体の各々が後退位置へ後退した状態を示す平面図、同図（Ｂ）は同後退した状態を示す一部破断した正面図、同図（Ｃ）は覆い体の各々が前進位置へ前進した状態を示す平面図、同図（Ｄ）は同前進した状態を示す正面図である。
【図１１】本発明洗面装置の第１０の実施の形態を示すものであり、同図（Ａ）は覆い体の各々が後退位置へ後退した状態を示す一部破断した平面図、同図（Ｂ）は同後退した状態を示す一部破断した正面図、同図（Ｃ）は覆い体の各々が前進位置へ前進した状態を示す一部破断した平面図、同図（Ｄ）は同前進した状態を示す正面図である。
【図１２】本発明洗面装置の第１１の実施の形態を示すものであり、同図（Ａ）は覆い体の各々が後退位置へ後退した状態を示す平面図、同図（Ｂ）は同後退した状態を示す一部破断した正面図、同図（Ｃ）は覆い体の各々が前進位置へ前進した状態を示す平面図、同図（Ｄ）は同前進した状態を示す正面図である。
【符号の説明】
【００７１】
２…洗面台、Ｓ…洗面空間Ｓ、５…鏡、６，７（７６，７７）…突出体（収納庫）、Ｇ…後退位置、Ｆ…前進位置、８，９（３８，３９，４８，５８，６８，７８，７９，８８，９８，９９，１０８，１０９，１１８，１１９）…覆い体，１２２…突出体（建物の一部）
【図１】
2005211396.tif 000003
【図２】
2005211396.tif 000004
【図３】
2005211396.tif 000005
【図４】
2005211396.tif 000006
【図５】
2005211396.tif 000007
【図６】
2005211396.tif 000008
【図７】
2005211396.tif 000009
【図８】
2005211396.tif 000010
【図９】
2005211396.tif 000011
【図１０】
2005211396.tif 000012
【図１１】
2005211396.tif 000013
【図１２】
2005211396.tif 000014